(57)【特許請求の範囲】
【請求項１】
自動車ドアロックがロック板、回転ラッチ、ロック爪、機能を限定したレバー装置、およびシリンダ軸線回りに回転可能な鎖錠シリンダを備え、この鎖錠シリンダが切換え捻心（１）に同軸的に連結された、特に中央錠止装置と電子制御装置を備えた自動車ドアロックの切換え位置を照会する装置において、
1.1)  切換え位置を照会するために、遠隔作用センサ（２）が設けられ、この遠隔作用センサが少なくとも２個のホールセンサチップ（３、４）と作用磁石（５）とを備え、
1.2)  作用磁石（５）が非強磁性材料からなる切換え捻心（１）の壁部に埋め込まれ、
1.3)  ２個のホールセンサチップ（３、４）が自動車ドアロックケーシング（６）の部品の平面に、この平面と切換え捻心（１）の中心軸を通る平面とが直角に交差する交線上に、並んで設けられ、
捻心（１）を回転するときに作用磁石（５）が空隙間隔（Ｓ）をもってホールセンサチップ（３、４）のそばを通過して異なるホールセンサチップ信号を発生するように、遠隔作用センサと作用磁石が配置されていることを特徴とする装置。
【請求項２】
作用磁石（５）が積層磁石として形成され、切換え捻心（１）の壁部の湾曲に応じて部分円筒状に成形されていることを特徴とする請求項１の装置。
【請求項３】
切換え捻心（１）の壁部に関して、周方向に隙間を隔てて、２個のホールセンサチップ（３、４）が設けられ、このホールセンサチップが同じ作用磁石（５）の作用を受けることを特徴とする請求項１または２の装置。
【請求項４】
異なるホールセンサチップ信号を発生するために、作用磁石が切換え捻心（１）の周方向において異なる厚さに形成され、およびまたは異なる磁場の強さおよびまたは異なる極性を有することを特徴とする請求項１〜３のいずれか一つに記載の装置。
【請求項５】
ホールセンサチップ（３、４）が自動車ドアロックケーシング（６）の合成樹脂部品に埋め込まれていることを特徴とする請求項１〜４のいずれか一つに記載の装置。
【発明の詳細な説明】
【０００１】
【発明の属する技術分野】
本発明は、自動車ドアロックがロック板、回転ラッチ、ロック爪、機能を限定したレバー装置、およびシリンダ軸線回りに回転可能な鎖錠シリンダを備え、この鎖錠シリンダが切換え捻心に同軸的に連結された、特に中央錠止装置と電子制御装置を備えた自動車ドアロックの切換え位置を照会する（必要なときに照会操作によって確かめる）装置に関する。
【０００２】
【従来の技術】
この種の装置は知られている。特に、ロックの部品によって作用を受ける機械的に操作されるマイクロスイッチによって、ロックの切換え位置を照会することが知られている。これは高価であり、機械的応力を受けるので故障しやすい。
【０００３】
【発明が解決しようとする課題】
本発明の課題は、自動車ドアロックのいろいろな切換え位置を簡単かつ確実に照会することができる装置を提供することである。照会された切換え位置に属する信号は電子制御装置に供給され、そこで評価される。それによって例えば、中央錠止装置を備えた自動車の場合に、運転者用ドアのドアロックを操作した後で、自動車の他のすべてのドアロックが運転者用ドアによって定められた機能位置にもたらされる。
【０００４】
【課題を解決するための手段】
この課題を解決するために、本発明では、自動車ドアロックがロック板、回転ラッチ、ロック爪、機能を限定したレバー装置、およびシリンダ軸線回りに回転可能な鎖錠シリンダを備え、この鎖錠シリンダが切換え捻心に同軸的に連結された、特に中央錠止装置と電子制御装置を備えた自動車ドアロックの切換え位置を照会する装置において、
1.1)切換え位置を照会するために、遠隔作用センサ（２）が設けられ、この遠隔作用センサが少なくとも２個のホールセンサチップ（３、４）と作用磁石（５）とを備え、
1.2)作用磁石（５）が非強磁性材料からなる切換え捻心（１）の壁部に埋め込まれ、
1.3)２個のホールセンサチップ（３、４）が自動車ドアロックケーシング（６）の部品の平面に、この平面と切換え捻心（１）の中心軸を通る平面とが直角に交差する交線上に、並んで設けられ、
捻心（１）を回転するときに作用磁石（５）が空隙間隔（Ｓ）をもってホールセンサチップ（３、４）のそばを通過して異なるホールセンサチップ信号を発生するように、遠隔作用センサと作用磁石が配置されていることを特徴とする。装置はいろいろな形で実施することができる。例えば、本発明の好ましい実施形に従って、作用磁石は積層磁石として形成され、切換え捻心の壁部の湾曲に応じて部分円筒状に成形されている。
【０００５】
自動車ドアロックとその機能位置に応じて、１個のホールセンサを設けるだけで充分である。このホールセンサはいろいろな切換え位置を照会し、しかも作用磁石がその長さにわたって異なる磁場の強さおよびまたは異なる厚さおよびまたは異なる極性を有することによって照会を行う。本発明の好ましい実施形では、切換え捻心の壁部に関して、周方向に隙間を隔てて、２個のホールセンサチップが設けられ、このホールセンサチップが同じ作用磁石の作用を受ける。その際、本発明の範囲内で、異なるホールセンサチップ信号を発生するために、作用磁石が切換え捻心の周方向において異なる厚さに形成され、およびまたは異なる磁場の強さおよびまたは異なる極性を有する。ホールセンサチップを確実に収納するために、本発明では、ホールセンサチップが自動車ドアロックケーシングの合成樹脂部品に埋め込まれている。
【０００６】
中央錠止および盗難防止の機能に関して、次に例示的に説明する。中央錠止装置と盗難防止装置を備えた自動車の場合には、鎖錠シリンダのキーによって盗難防止を行うためおよび盗難防止を解除するために、今日いろいろな実施形がある。一般的に、解錠のために、中央０位置からキーを時計回りに例えば３０°回転させることから出発する。中央０位置から反時計回りに例えば３０°回転させると、自動車ドアロックは“盗難防止”位置に移動する。この実施形の場合、盗難防止しないで錠止することはキーでは不可能である。他の実施形の場合には、中央０位置から反時計回りにキーを例えば３０°回転させると、ロックの錠止が行われ、所望される場合には、反時計回りに更に例えば３０°回転させることにより、盗難防止状態となる。他の実施形の場合には、中央０位置から反時計回りにキーを例えば３０°回転させると、自動車ドアロックの錠止が行われる。続いてすぐに中央０位置に戻し、新たに反時計回りに３０°回転させると、盗難防止状態となる。自動車ドアッロック自体または内側ロックノブから、錠止されているか盗難防止状態であるか判らないので、盗難防止状態は通常は、例えば計器盤に設けられた点滅する赤い発光ダイオードによって光で表示される。
【０００７】
【発明の実施の形態】
次に、一つの実施の形態を示す図に基づいて、本発明を詳細に説明する。
図に示した装置は、自動車ドアロックの切換え位置を照会するために役立つ。自動車ドアロックは図示していない。自動車ドアロックは通常のように構成され、ロック板、回転ラッチ、ロック爪、機能を限定したレバー装置、およびシリンダ軸線回りに回転可能な鎖錠シリンダを備えている。この鎖錠シリンダは切換え捻心１に同軸に連結されている。図には捻心１が示してあり、鎖錠シリンダは図示していない。
【０００８】
切換え位置を照会するために、遠隔作用センサ２が設けられている。この遠隔作用センサは本実施の形態ではホールセンサ３または４と作用磁石５を備えている。作用磁石５は、図２から判るように、非強磁性材料からなる切換え捻心１の壁部に埋め込まれている。ホールセンサ３、４は自動車ドアロックケーシング６の構成部品の平面に、この平面と切換え捻心（１）の中心軸を通る平面とが直角に交差する交線上に、並んで設けられている。この配置は、切換え捻心１を回転させるときに、作用磁石５が空隙間隔Ｓでもってホールセンサチップ３または４のそばを移動して異なるホールセンサチップ信号を発するように行われている。作用磁石５は好ましくは積層磁石の形をした焼結磁石として形成されている。作用磁石は円筒の一部の形をし、捻心の壁の湾曲に応じて形成されている。捻心１の壁に関して、周方向に隙間を隔てて、２個のホールセンサチップ３、４が設けられているので、このホールセンサから異なるホールセンサチップ信号を照会することができる。両ホールセンサチップ３、４は同じ１個の作用磁石５によって作用可能である。例えば、ホールセンサチップの一方で、鎖錠または解錠の位置が照会され、他方で盗難防止の位置が照会される。ホールセンサチップの物理的および電子的特性と回路への統合は一般的に知られている。
【０００９】
本発明の実施の形態では、異なるホールセンサチップ信号を発生するために、作用磁石５が捻心１の周方向において異なる厚さに形成され、およびまたは異なる磁場の強さおよびまたは異なる極性を有する。本実施の形態では、ホールセンサチップ３または４は自動車ドアロックケーシング６の合成樹脂部品に埋め込まれている。
【００１０】
ホールセンサチップは特に、合成樹脂に埋め込まれ、切換え機能用の統合化された電子部品、例えば増幅器、半導体スイッチおよびコンパレータを備えた、適切な半導体材料からなる市販のホールプレートである。ホール効果と、電気回路内での切換え機能の範囲内のその作用は知られている。電子評価装置を備えたホールセンサチップも技術水準に属する。
【図面の簡単な説明】
【図１】本発明による装置を備えた自動車ドアロックの一部をドアロック内側から示す図である。
【図２】図１のＡ−Ａ線に沿った断面図である。
【図３】図２のＢ−Ｂ線に沿った断面図である。
【図４】図１，２の作用磁石の斜視図である。
【符号の説明】
１                      捻心
２                      遠隔作用センサ
３，４                  ホールセンサチップ
５                      作用磁石
６                      自動車ドアロックケーシング
Ｓ                      空隙間隔
【図１】
0004142135.tif 000002
【図２】
0004142135.tif 000003
【図３】
0004142135.tif 000004
【図４】
0004142135.tif 000005